(57)【要約】【課題】吊り下げて陳列することができ、かつ、積み上げて陳列する際にも安定性に優れたヘッダー付包装箱を提供する。【解決手段】前板１、一対の側板２、後板３及び底板５を備え、前板１の上端に蓋板７及び吊下片８を順次連設し、吊下片８に幅方向の頂折線１３を設け、一対の側板２の上端及び蓋板７の両端から延出したフラップ９，１０を４５°の斜折線１１を介して繋ぎ、フラップ９，１０を斜折線１１に沿って山折りにしつつ、外側で立ち上がるように折り重ね、吊下片８を頂折線１３に沿って後方へ折り曲げ、フラップ９の後端から延びる折込片１２を抱き込み、吊下片８の先端部を後板３に係止して封緘する。【選択図】図２
2006188261.tif 000002
【特許請求の範囲】
【請求項１】
前板、一対の側板、後板及び底板を備え、前板の上端に蓋板及び吊下片を順次連設し、吊下片に幅方向の頂折線を設け、一対の側板の上端及び蓋板の両端から延出したフラップを４５°の斜折線を介して繋ぎ、これらのフラップを斜折線に沿って山折りにしつつ、外側で立ち上がるように折り重ね、吊下片を頂折線に沿って後方へ折り曲げ、その先端部を後板に係止して封緘したヘッダー付包装箱。
【請求項２】
請求項１に記載のヘッダー付包装箱において、フラップの後端から延びる折込片を吊下片で抱き込むようにしたことを特徴とするヘッダー付包装箱。
【請求項３】
請求項１又は２に記載のヘッダー付包装箱において、吊下片に、再封緘に際し先端角部を切り落とす切目を入れたことを特徴とするヘッダー付包装箱。
【発明の詳細な説明】
【技術分野】
【０００１】
この発明は、商品を収納し、店頭で吊り下げて陳列できるヘッダー付包装箱に関するものである。
【背景技術】
【０００２】
従来、下記特許文献１には、茶袋等を収納する包装箱として、図９に示すようなものが記載されている。この包装箱は、前板５１、一対の側板５２、後板５３及び底板５４を備え、前板５１の上端に蓋板５５を連設した構成とされている（後方から図示）。
【０００３】
そして、一対の側板５２の上端及び蓋板５５の両端から延出したフラップ５６，５７が４５°の斜折線５８を介して繋がれ、フラップ５６，５７を斜折線５８に沿って谷折りにしつつ、内側へ折り込み、蓋板５５の先端から延びる差込片５９を後板５３に貼り付けて封緘される。
【０００４】
また、後板５３の上部にヒンジ線６０が、一対の側板５２及び前板５１に切目線６１がそれぞれ設けられ、切目線６１を切断すると、ヒンジ線６０を軸として切目線６１の上方部分を開くことができる。
【０００５】
【特許文献１】実開昭５８−２７１２５号公報
【発明の開示】
【発明が解決しようとする課題】
【０００６】
ところで、上記のような包装箱は、ヘッダーがないので、吊り下げて陳列することはできず、また、一般的なヘッダー付の包装箱では、店頭で積み上げて陳列しようとすると、上下の箱同士が左右にずれて、上方の箱が崩れ落ちるおそれがある。
【０００７】
そこで、この発明は、吊り下げて陳列することができ、かつ、積み上げて陳列する際にも安定性に優れたヘッダー付包装箱を提供することを課題とする。
【課題を解決するための手段】
【０００８】
上記課題を解決するため、この発明に係るヘッダー付包装箱は、前板、一対の側板、後板及び底板を備え、前板の上端に蓋板及び吊下片を順次連設し、吊下片に幅方向の頂折線を設け、一対の側板の上端及び蓋板の両端から延出したフラップを４５°の斜折線を介して繋ぎ、これらのフラップを斜折線に沿って山折りにしつつ、外側で立ち上がるように折り重ね、吊下片を頂折線に沿って後方へ折り曲げ、その先端部を後板に係止して封緘することとしたのである。
【０００９】
また、フラップの後端から延びる折込片を吊下片で抱き込んで、フラップと吊下片の揺動を防止することとしたのである。
【００１０】
また、吊下片に、再封緘に際し先端角部を切り落とす切目を入れ、再封緘時に吊下片の残存部を箱内に容易に差し込めるようにしたのである。
【発明の効果】
【００１１】
このように構成すると、吊下片の吊穴に吊棒を挿入することにより、吊り下げて陳列できるほか、複数の箱を積み上げて陳列する際には、フラップ及び吊下片がストッパとなって、箱同士のずれが防止され、安定した積み上げが可能となる。
【００１２】
また、切裂帯を切断して開封した後、フラップを斜折線に沿って谷折りにしつつ、内側へ折り込み、吊下片の残存部を箱内に差し込むことにより、再封緘することができる。
【発明を実施するための最良の形態】
【００１３】
以下、この発明の実施形態を添付図面に基づいて説明する。
【００１４】
このヘッダー付包装箱の板紙製ブランクでは、図１に示すように、前板１の一側に側板２、後板３及び継代片４が順次連設され、他側に側板２が連設されている。前板１及び後板３の下端には底板５が、側板２の下端には底片６がそれぞれ連設され、前板１の上端には蓋板７及び吊下片８が順次連設されている。
【００１５】
一対の側板２の上端及び蓋板７の両端には、それぞれフラップ９，１０が連設され、このフラップ９，１０は、４５°の斜折線１１を介して繋がれている。継代片４の上部にもフラップ９の一部が連設され、後板３の両側上部には、フラップ９に繋がる折込片１２が切目を介して設けられている。
【００１６】
吊下片８には、幅方向の頂折線１３及び切裂帯１４と、頂折線１３を挟む一対の吊穴１５と、蓋板７側の両端から頂折線１３へ向かう弧状の切目１６とが設けられている。頂折線１３は、ミシン目状の切目を有するリード罫とされ、切裂帯１４は、鉤形の切目が断続するジッパとされている。
【００１７】
上記のようなブランクを組み立てるには、図２に示すように、前板１、一対の側板２及び後板３を角筒状に折り曲げ、継代片４を反対側の側板２に貼り付けて周壁を形成し、底板５と底片６とを一組ずつ貼り合わせ、対向する底板５同士を噛み合わせることにより底面を閉止する。
【００１８】
そして、商品を箱内に収納した後、フラップ９，１０を斜折線１１に沿って山折りにしつつ、外側で立ち上がるように折り重ね、折込片１２を抱き込むようにして、吊下片８を頂折線１３に沿って後方へ折り曲げ、ホットメルト接着剤により、切裂帯１４の下方の貼着部ａで後板３の外面に貼り付けて封緘する。
【００１９】
このように封緘した包装箱は、図３に示すように、吊下片８の吊穴１５に吊棒Ｂを挿入して、吊り下げた状態で陳列できるほか、図４に示すように、複数の箱を積み上げて陳列する際には、フラップ９，１０及び吊下片８がストッパとなって、箱同士のずれが防止され、安定した積み上げが可能となる。
【００２０】
また、フラップ９，１０と吊下片８の揺動が折込片１２の抱き込みにより防止されて、堅固な構造となり、箱外に露出するフラップ９，１０に印刷を施しておくことにより、広告面積を大きく確保することもできる。
【００２１】
また、この包装箱は、図５及び図６に示すように、切裂帯１４を切断すると、容易に開封することができ、切目１６及び頂折線１３を切断して、図７及び図８に示すように、フラップ９，１０を斜折線１１に沿って谷折りにしつつ、内側へ折り込み、吊下片８の残存部を箱内に差し込むことにより、再封緘することができる。このとき、吊下片８の残存部は、先端の角部が丸くなっているので、箱内に容易に差し込むことができる。
【００２２】
ところで、上記実施形態では、吊下片８の先端部を切裂帯１４の下方で後板３の外面に貼り付けて封緘することとしたが、切裂帯１４を省略し、吊下片８の先端部を後板３の切込に差し込んで係止することにより、封緘するようにしてもよい。
【図面の簡単な説明】
【００２３】
【図１】この発明の実施形態に係るヘッダー付包装箱のブランクを示す図
【図２】同上の封緘状態を示す後方からの斜視図
【図３】同上の吊下状態を示す前方からの斜視図
【図４】同上の積上状態を示す前方からの斜視図
【図５】同上の開封過程を示す後方からの斜視図
【図６】同上の開封状態を示す後方からの斜視図
【図７】同上の再封緘過程を示す後方からの斜視図
【図８】同上の再封緘状態を示す後方からの斜視図
【図９】従来の包装箱の封緘過程を示す後方からの斜視図
【符号の説明】
【００２４】
１  前板
２  側板
３  後板
４  継代片
５  底板
６  底片
７  蓋板
８  吊下片
９，１０  フラップ
１１  斜折線
１２  折込片
１３  頂折線
１４  切裂帯
１５  吊穴
１６  切目
【図１】
2006188261.tif 000003
【図２】
2006188261.tif 000004
【図３】
2006188261.tif 000005
【図４】
2006188261.tif 000006
【図５】
2006188261.tif 000007
【図６】
2006188261.tif 000008
【図７】
2006188261.tif 000009
【図８】
2006188261.tif 000010
【図９】
2006188261.tif 000011